(57)【要約】【課題】扉の旋解錠に係る機器の故障に結びつく特性の変化を検出して異常の予測を行う入退室管理システムを提供する。【解決手段】入退室管理システムは、入退室が管理される区画の出入口を開閉する扉（１）を旋解錠する電気錠（２）が電気錠制御盤（４）により制御される入退室管理システムにおいて、上記扉が閉まったとき扉閉信号が発信され、上記電気錠の旋錠が完了したとき施錠信号が発信され、上記電気錠制御盤は、上記扉が閉められる度に、上記扉閉信号を受信した時点から上記旋錠信号を受信する時点までを計時して旋錠時間を求める施錠時間計測手段（１２）と、所定の回数に亘る上記施錠時間の平均値を求める平均値算出手段（１３）と、上記平均値が予め設定された閾値を超えるとき施解錠に係わる部分の異常を予測する異常予測手段（１４）と、を有する。【選択図】図３
2008274558.tif 000002
【特許請求の範囲】
【請求項１】
入退室が管理される区画の出入口を開閉する扉を旋解錠する電気錠が電気錠制御盤により制御される入退室管理システムにおいて、
上記扉が閉まったとき扉閉信号が発信され、
上記電気錠の旋錠が完了したとき施錠信号が発信され、
上記電気錠制御盤は、
上記扉が閉められる度に、上記扉閉信号を受信した時点から上記旋錠信号を受信する時点までを計時して旋錠時間を求める施錠時間計測手段と、
所定の回数に亘る上記施錠時間の平均値を求める平均値算出手段と、
上記平均値が予め設定された閾値を超えるとき施解錠に係わる部分の異常を予測する異常予測手段と、
を有することを特徴とする入退室管理システム。
【請求項２】
上記電気錠制御盤は、異常を予測するときに用いる上記閾値を上記平均値に基づいて更新する閾値更新手段を有することを特徴とする請求項１に記載する入退室管理システム。
【請求項３】
複数の上記電気錠制御盤から上記旋錠時間を収集するとともに、収集した上記旋錠時間から上記扉に係わる因子毎に区分された上記扉毎に平均値を算出するサーバを備えることを特徴とする請求項１または２に記載する入退室管理システム。
【発明の詳細な説明】
【技術分野】
【０００１】
この発明は、ビルやその各部屋への出入りが扉を旋解錠する電気錠を制御することにより管理される入退室管理システムに関するものである。
【背景技術】
【０００２】
近年、マンションなどのビルでは入退室を管理するために、扉に設置された電気錠を電気的に旋解錠する入退室管理システムが普及している。そして、電気錠の内部機構の駆動部分の異常を自動的に判別し、故障内容に応じて、その内容を表示、報知することができ、電気錠の動作異常を検出する自己診断機能を有する電気錠システムが提案されている（例えば、特許文献１参照）。
【０００３】
【特許文献１】特開２００３−９７１０７号公報
【発明の開示】
【発明が解決しようとする課題】
【０００４】
しかし、電気錠の動作異常を検出し電気錠を新しいものに交換しても、扉の建て付けが悪い場合には、交換した電気錠が正常に動作せず、依然として旋解錠ができないという問題がある。このようなとき、扉の施解錠ができなくなるため、本来入退室が管理されてセキュリティが確保されている区画のセキュリティが低下するという問題が起こる。
また、システム全体で見ると扉閉を確認してから旋錠を開始するまでの時間を設定するためのノウハウが少ないときには、設定に要する時間が長引くという問題がある。
【０００５】
この発明の目的は、扉の旋解錠に係る機器の故障に結びつく特性の変化を検出して異常の予測を行う入退室管理システムを提供することである。
【課題を解決するための手段】
【０００６】
この発明に係る入退室管理システムは、入退室が管理される区画の出入口を開閉する扉を旋解錠する電気錠が電気錠制御盤により制御される入退室管理システムにおいて、上記扉が閉まったとき扉閉信号が発信され、上記電気錠の旋錠が完了したとき施錠信号が発信され、上記電気錠制御盤は、上記扉が閉められる度に、上記扉閉信号を受信した時点から上記旋錠信号を受信する時点までを計時して旋錠時間を求める施錠時間計測手段と、所定の回数に亘る上記施錠時間の平均値を求める平均値算出手段と、上記平均値が予め設定された閾値を超えるとき施解錠に係わる部分の異常を予測する異常予測手段と、を有する。
【発明の効果】
【０００７】
この発明に係る入退室管理システムの効果は、扉が閉まってから電気錠が旋錠されるまでの施錠時間を計測し、予め定めた閾値と比較することにより、施錠はできるが施解錠に係る部分が異常に至りそうなことを予測できるので、扉、電気錠および電気錠制御盤に対する予防保全を施すことができる。
【発明を実施するための最良の形態】
【０００８】
実施の形態１．
図１は、この発明に係る実施の形態１による入退室管理システムの構成を示す構成図である。図２は、この発明に係る実施の形態１による入退室管理システムの制御で用いられる信号のタイミングチャートである。図３は、この発明に係る実施の形態１による電気錠制御盤の機能ブロック図である。
この発明に係る実施の形態１による入退室管理システムは、入退室が管理される区画、例えばビル全体、ビル内の各部屋などの出入口に配置される扉１、扉１を旋解錠する電気錠（Ｅ）２、出入口の出口側に配備されるカードリーダ（ＣＲ）３、電気錠２を制御する電気錠制御盤（ＩＤＣ）４、ビル全体で入退室を管理する入退室管理盤（ＰＣ）５を備える。
【０００９】
扉１は、電気錠２が解錠されているとき人が押すまたは引くことにより開けられ、押すまたは引く力が取り払われると図示しないドアクローザにより閉められる。扉１には、図２（ａ）に示すように、扉１が閉められて扉１が所定の範囲内に入ったとき扉開閉信号のレベルが「扉開」から「扉閉」に変化し、扉１が開けられて扉１が所定の範囲から外れたとき扉開閉信号のレベルが「扉閉」から「扉開」に変化する扉開閉センサ７が設けられている。なお、扉開閉信号のレベルが「扉開」から「扉閉」に変化したとき、扉閉信号が発信されたと称する。
【００１０】
電気錠２は、電気錠制御盤４からの旋解錠出力により図示しないデッドボルトが突出または引き込まれることにより、扉１を旋解錠している。
電気錠２は、図２（ｂ）に示すように、デッドボルトが引き込まれてデッドボルトの位置が所定の範囲内に入ったとき旋解錠信号のレベルを「旋錠」から「解錠」に変化し、デッドボルトが突出されてデッドボルトの位置が所定の範囲から外れたとき旋解錠信号のレベルを「解錠」から「旋錠」に変化する。なお、旋解錠信号のレベルが「解錠」から「旋錠」に変化したとき、旋錠信号が発信されたと称する。
【００１１】
電気錠制御盤４は、図３に示すように、旋解錠出力を変化して電気錠２を旋解錠する電気錠旋解錠手段１１、扉１の開閉の度に施錠時間を求める施錠時間計測手段１２、所定の開閉回数毎に施錠時間の平均値を求める平均値算出手段１３、平均値を求める度に施解錠に係わる部分の異常を予測する異常予測手段１４、異常を予測するときに用いる閾値を更新する閾値更新手段１５、求められた施錠時間の平均値および施錠時間の上限値が記憶される記憶手段１６を有する。
【００１２】
電気錠旋解錠手段１１は、図２（ｃ）に示すように、入退室管理盤５からの解錠指令に基づき旋解錠出力のレベルを「旋錠」から「解錠」に変化し、扉開閉センサ７からの扉開閉信号のレベルが「扉開」から「扉閉」に変化したとき所定の待機時間を経過した時点で旋解錠出力のレベルを「解錠」から「旋錠」に変化する。
【００１３】
施錠時間計測手段１２は、扉１が開閉される度に、図２に示すように、扉開閉信号のレベルが「扉開」から「扉閉」に変化した時点から、旋解錠信号のレベルが「解錠」から「旋錠」に変化した時点までを計時して旋錠時間を求め、記憶手段１６に記憶する。
平均値算出手段１３は、求められた所定の開閉回数の開閉での旋錠時間の平均値を求め、求めた平均値を記憶手段１６に記憶する。
異常予測手段１４は、求められた平均値が所定の閾値を超えたとき旋解錠に係わる部分の異常、例えば扉の建て付けの悪化、電気錠の劣化などを予測して異常の予測を発報する。
閾値更新手段１５は、所定の開閉回数毎に、求められた旋錠時間の平均値に所定の係数、例えば１．４を乗算して得た値を現時点で設定されている閾値と比較し、施錠時間の平均値の１．４倍の値が現時点の閾値未満のときには施錠時間の平均値の１．４倍の値で閾値を更新する。
【００１４】
なお、新たな電気錠制御盤４を既設の電気錠２または新規の電気錠２に設置するときには十分に大きな値の閾値を設定し、運用を開始することにより適切な閾値に更新するようにしている。
【００１５】
カードリーダ３は、ビル内または部屋内への入退室が許可されている人の個人識別情報、例えば個人識別番号、バイオメトリックスなどを取り込み、入退室管理盤５に送る。
入退室管理盤５は、カードリーダ３から送られてきた個人識別情報に基づき個人認証を行って入退室の可否を判断する。そして、入退室管理盤５は、個人認証の結果、入退室を許可したとき解錠指令を電気錠制御盤４に送る。
また、入退室管理盤５は、管理を担当するビルに含まれる電気錠制御盤４から各扉１に係る旋錠時間の平均値を取り込み、それに基づいて各扉の旋解錠の部分の状態をまとめてビルオーナーに定期的または不定期に報告する。
【００１６】
電気錠２は、デッドボルトが扉１側に設けられた図示しないストライクに突出することにより、扉１を旋錠しているが、扉１を支持している図示しない柱などの経時的な歪み、扉１の支持部の変形、電気錠２の取り付けの緩みなど色々な要因によりデッドボルトがストライクに競ったり、擦れたりすることにより、旋錠時間が長くなる。しかし、この段階ではまだ電気錠２の旋錠ができない訳ではないので、従来のように旋錠ができないことを検出しようとしてもこの段階では異常が発報されない。
【００１７】
一方、この発明に係る実施の形態１による入退室管理システムでは、扉１が閉まってから電気錠２が旋錠されるまでの施錠時間を計測し、上述の段階を反映した閾値と比較することにより、施錠はできるが施解錠に係る部分が異常に至りそうなことを予測できるので、扉１、電気錠２および電気錠制御盤４に対する予防保全を施すことができる。
【００１８】
また、異常の検出に用いる閾値を運用開始に当たっては大きめに設定し、運用することにより適切な値に収斂することができるので、運用をスムーズに開始できるとともに機差間の違いを別に考慮しなくても済む。
【００１９】
実施の形態２．
図４は、この発明に係る実施の形態２による入退室管理システムの構成を示す構成図である。
この発明に係る実施の形態２による入退室管理システムは、実施の形態１による入退室管理システムが配備された複数のビルを情報センタ２１により一元的に管理するシステムである。そして、情報センタ２１には、各ビルの入退室管理盤５と通信回線２２を介して接続されるサーバ２３とサーバ２３に接続されデータを格納されるデータベース２４が配置されている。
サーバ２３は、電気錠制御盤４を順次ポーリングして各扉１の旋錠時間を収集しデータベース２４に格納しておく。
【００２０】
また、サーバ２３は、収集した旋錠時間を扉１の種類や設置環境などを因子とする区分に分類し、区分毎の扉１の施錠時間の平均値を算出してデータベース２４に格納する。
このようにして格納された区分毎の扉１の施錠時間の平均値は、所定の係数を乗算するだけで、既設の電気錠２または新設の電気錠２に電気錠制御盤４を配備するときに、異常の予測をするための閾値として使用することができ、設定値の精度が向上するとともに設定の省力化を図ることができる。
【００２１】
また、サーバ２３は、算出された平均値に所定の係数、例えば１．５を乗算して得た上限値を用いて管理対象の扉１の旋錠時間を評価する。もし、管理対象の扉１の旋錠時間が、その扉１が含まれる区分に対する上限値を超えているときには、異常を予測してフィールドエンジニアに連絡する。このように情報センタ２１から異常の予測に基づきフィールドエンジニアが現場で扉１などを確認できるので、予備保全を施すことができる。
【図面の簡単な説明】
【００２２】
【図１】この発明に係る実施の形態１による入退室管理システムの構成を示す構成図である。
【図２】この発明に係る実施の形態１による入退室管理システムの制御で用いられる信号のタイミングチャートである。
【図３】この発明に係る実施の形態１による電気錠制御盤の機能ブロック図である。
【図４】この発明に係る実施の形態２による入退室管理システムの構成を示す構成図である。
【符号の説明】
【００２３】
１  扉、２  電気錠（Ｅ）、３  カードリーダ（ＣＲ）、４  電気錠制御盤（ＩＤＣ）、５  入退室管理盤（ＰＣ）、７  扉開閉センサ、１１  電気錠旋解錠手段、１２  施錠時間計測手段、１３  平均値算出手段、１４  異常予測手段、１５  閾値更新手段、１６  記憶手段、２１  情報センタ、２２  通信回線、２３  サーバ、２４  データベース。
【図１】
2008274558.tif 000003
【図２】
2008274558.tif 000004
【図３】
2008274558.tif 000005
【図４】
2008274558.tif 000006